【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  複数の場面で構成されるメディアコンテンツの各場面を表す複数のセグメントが記述されたデータ構造部と、前記場面の区切りを表す時間情報、場面の内容を表す少なくとも１つのキーワードによって表される観点、観点に基づいた各セグメントの重要度を表すスコア、及び該当する少なくとも１つのセグメントへのリンクを示すリンク情報が記述され、これらの属性情報は前記メディアコンテンツの属性情報である属性部と、からなる文脈内容記述データを入力する入力部と、
前記属性部に記述されている前記スコアと前記時間情報とに基づいて、前記データ構造部からセグメントを選択する選択部と、
を備えたデータ処理装置。
【請求項２】  前記時間情報は、各場面の開始時間と終了時間である請求項1記載のデータ処理装置。
【請求項３】  前記時間情報は、各場面の開始時間と継続時間である請求項1記載のデータ処理装置。
【請求項４】  前記選択部は、前記属性部に記述されている前記スコアと前記時間情報とに基づいてセグメントを選択する際に、その選択するセグメントの継続時間の和が設定時間になるか前記設定時間より短くなるように選択する請求項２または３に記載のデータ処理装置。
【請求項５】  前記選択部は、前記属性部に記述されている前記観点及び前記スコアのうち少なくとも一方と、前記時間情報とに基づいてセグメントを選択する際に、その選択するセグメントの継続時間の和が設定時間になるか前記設定時間より短くなるように選択する請求項２または３に記載のデータ処理装置。
【請求項６】  前記データ構造部には、前記複数のセグメントが階層的に記述されている請求項１乃至５のいずれかに記載のデータ処理装置。
【請求項７】  前記セグメントに、文脈内容に関する補助情報が記述された請求項１乃至５のいずれかに記載のデータ処理装置。
【請求項８】  前記観点と前記スコアとの複数組が１つのセグメントにリンク情報によって関連付けられている請求項１乃至５のいずれかに記載のデータ処理装置。
【請求項９】  前記リンク情報と前記スコアとの組が観点毎にまとめられている請求項１乃至５のいずれかに記載のデータ処理装置。
【請求項１０】  複数の場面で構成されるメディアコンテンツの各場面を表す複数のセグメントが記述されたデータ構造部と、前記場面の区切りを表す時間情報、場面の内容を表す少なくとも１つのキーワードによって表される観点、観点に基づいた各セグメントの重要度を表すスコア、及び該当する少なくとも１つのセグメントへのリンクを示すリンク情報が記述され、これらの属性情報は前記メディアコンテンツの属性情報である属性部と、からなる文脈内容記述データを入力するステップと、
前記属性部に記述されている前記スコアと前記時間情報とに基づいて前記データ構造部からセグメントを選択するステップと、
を有するデータ処理方法。
【請求項１１】  前記時間情報は、各場面の開始時間と終了時間である請求項１０記載のデータ処理方法。
【請求項１２】  前記時間情報は、各場面の開始時間と継続時間である請求項１０記載のデータ処理方法。
【請求項１３】  前記選択するステップでは、前記属性部に記述されている前記スコアと前記時間情報とに基づいてセグメントを選択する際に、その選択するセグメントの継続時間の和が設定時間になるか前記設定時間より短くなるように選択する請求項１１または１２に記載のデータ処理方法。
【請求項１４】  前記選択するステップでは、前記属性部に記述されている前記観点及び前記スコアのうち少なくとも一方と、前記時間情報とに基づいてセグメントを選択する際に、その選択するセグメントの継続時間の和が設定時間になるか前記設定時間より短くなるように選択する請求項１１または１２に記載のデータ処理方法。
【請求項１５】  複数の場面で構成されるメディアコンテンツの各場面を表す複数のセグメントが記述されたデータ構造部と、前記場面の区切りを表す時間情報、場面の内容を表す少なくとも１つのキーワードによって表される観点、観点に基づいた各セグメントの重要度を表すスコア、及び該当する少なくとも１つのセグメントへのリンクを示すリンク情報が記述され、これらの属性情報は前記メディアコンテンツの属性情報である属性部と、からなる文脈内容記述データを入力する入力部と、
前記属性部に記述されている前記スコアと前記時間情報とに基づいて、前記データ構造部からセグメントを選択する選択部と、
対応するメディアコンテンツを入力するコンテンツ入力部と、
前記選択されたセグメントの時間情報から前記メディアコンテンツの区間を抽出する抽出部と、
を備えた要約生成装置。
【請求項１６】  前記時間情報は、各場面の開始時間と終了時間である請求項1５記載の要約生成装置。
【請求項１７】  前記時間情報は、各場面の開始時間と継続時間である請求項1５記載の要約生成装置。
【請求項１８】  前記選択部は、前記属性部に記述されている前記スコアと前記時間情報とに基づいてセグメントを選択する際に、その選択するセグメントの継続時間の和が設定時間になるか前記設定時間より短くなるように選択する請求項１６または１７に記載の要約生成装置。
【請求項１９】  前記選択部は、前記属性部に記述されている前記観点及び前記スコアのうち少なくとも一方と、前記時間情報とに基づいてセグメントを選択する際に、その選択するセグメントの継続時間の和が設定時間になるか前記設定時間より短くなるように選択する請求項１６または１７に記載の要約生成装置。
【請求項２０】  前記抽出されたメディアコンテンツを再生する再生部を備えた請求項１６乃至１９のいずれかに記載の要約生成装置。
【請求項２１】  前記抽出されたメディアコンテンツからストリームを構成する構成部を備えた請求項１６乃至１９のいずれかに記載の要約生成装置。
【請求項２２】  前記データ構造部には、前記複数のセグメントが階層的に記述されている請求項１６乃至１９のいずれかに記載の要約生成装置。
【請求項２３】  前記セグメントに、文脈内容に関する補助情報が記述された請求項１６乃至１９のいずれかに記載の要約生成装置。
【請求項２４】  前記観点と前記スコアとの複数組が１つのセグメントにリンク情報によって関連付けられている請求項１６乃至１９のいずれかに記載の要約生成装置。
【請求項２５】  前記リンク情報と前記スコアとの組が観点毎にまとめられている請求項１６乃至１９のいずれかに記載の要約生成装置。
【請求項２６】  複数の場面で構成されるメディアコンテンツの各場面を表す複数のセグメントが記述されたデータ構造部と、前記場面の区切りを表す時間情報、場面の内容を表す少なくとも１つのキーワードによって表される観点、観点に基づいた各セグメントの重要度を表すスコア、及び該当する少なくとも１つのセグメントへのリンクを示すリンク情報が記述され、これらの属性情報は前記メディアコンテンツの属性情報である属性部と、からなる文脈内容記述データを入力するステップと、
前記属性部に記述されている前記スコアと前記時間情報とに基づいて前記データ構造部からセグメントを選択するステップと、
対応するメディアコンテンツを入力するステップと、
前記選択されたセグメントの時間情報から前記メディアコンテンツの区間を抽出するステップと、
を備えた要約生成方法。